(57)【要約】  【課題】  ＬＥＤレンズの組み立て時のばらつきをなくし、発光窓から安定した光強度の光が放射される記憶媒体再生装置を提供することである。  【解決手段】  発光窓１１ｃを有したフロントパネル１１と、ＬＥＤランプ１２ｃと、発光窓１１ｃに一端が位置し、他端がＬＥＤランプ１２ｃに近接し、ＬＥＤランプ１２ｃからの発光を発光窓１１ｃに導く曲線状ＬＥＤレンズ１３ｃとを備え、ＬＥＤレンズ１３ｃは一体成形された連結部で他のＬＥＤレンズと繋がっており、該連結部でフロントパネル１１に溶着固定される記憶媒体再生装置において、連結部に一体成形されると共に、フロントパネル１１の発光窓１１ｃ以外の部分に当接するリブ１３ｆであって、リブ１３ｆの断面がＬ字形であり、Ｌ字形の一辺がフロントパネル１１の内面側に突出した支持台１１ｅに当接している構成とする。【選択図】      図２
0003109832.tif 000002
【実用新案登録請求の範囲】
【請求項１】
複数の発光窓を有したフロントパネルと、前記発光窓と同数のＬＥＤランプと、一端が
前記発光窓に位置し、他端が前記ＬＥＤランプに近接し、前記ＬＥＤランプからの発光を
前記発光窓に導く曲線状で前記ＬＥＤランプと同数のＬＥＤレンズとを備え、複数の前記
ＬＥＤレンズは一体成形された連結部でそれぞれ繋がっており、該連結部で前記フロント
パネルに溶着固定される記憶媒体再生装置において、
前記連結部に一体成形されると共に、前記フロントパネルの前記発光窓以外の部分に当
接するリブであって、該リブの断面がＬ字形であり、Ｌ字形の一辺が前記フロントパネル
の内面側に突設された支持台に当接していることを特徴とする記憶媒体再生装置。
【請求項２】
複数の発光窓を有したフロントパネルと、前記発光窓と同数のＬＥＤランプと、一端が
前記発光窓に位置し、他端が前記ＬＥＤランプに近接し、前記ＬＥＤランプからの発光を
前記発光窓に導く曲線状で前記ＬＥＤランプと同数のＬＥＤレンズとを備え、複数の前記
ＬＥＤレンズは一体成形された連結部でそれぞれ繋がっており、該連結部で前記フロント
パネルに溶着固定される記憶媒体再生装置において、
前記連結部に一体成形されると共に、前記フロントパネルの前記発光窓以外の部分に当
接するリブであって、該リブの断面がＬ字形であり、Ｌ字形の一端が前記フロントパネル
に当接していることを特徴とする記憶媒体再生装置。
【請求項３】
パネルに固定され、該パネルに形成された発光窓に一端が位置し、他端がＬＥＤランプ
に近接し、該ＬＥＤランプからの発光を発光窓に導くＬＥＤレンズにおいて、
前記パネルの前記発光窓以外の部分に当接するリブが一体成形されることを特徴とする
ＬＥＤレンズ。
【請求項４】
前記リブの断面がＬ字形であり、Ｌ字形の少なくとも一辺が前記パネルに当接している
ことを特徴とする請求項３記載のＬＥＤレンズ。
【請求項５】
前記リブの断面がＬ字形であり、Ｌ字形の少なくとも一端が前記パネルに当接している
ことを特徴とする請求項３記載のＬＥＤレンズ。
【請求項６】
前記ＬＥＤレンズは一体成形された連結部で複数連結されていることを特徴とする請求
項３〜５の何れかに記載のＬＥＤレンズ。
【請求項７】
前記連結部が前記パネルに溶着して固定されることを特徴とする請求項６記載のＬＥＤ
レンズ。
【考案の詳細な説明】
【技術分野】
【０００１】
本考案は、ＬＥＤレンズ、詳細にはＬＥＤレンズの取り付け構造の安定化に関するもの
である。
【背景技術】
【０００２】
図５は、従来のビデオデッキのフロントパネルの断面図である。フロントパネル３１の
前面に発光窓３１ａが形成され、発光窓３１ａには光を導く曲線状のＬＥＤレンズ３０が
取り付けられている。ＬＥＤレンズ３０の発光窓１１ａとは反対側の先端に近接してＬＥ
Ｄランプ１２が配設されている。なお、ＬＥＤレンズ３０は複数個横に並んでそれぞれ連
結部３０ａで繋がって一体成形されている。この一体成形品をレンズ部材と称する。そし
て、レンズ部材は連結部３０ａでフロントパネル３１に固定されている。この固定方法に
は一般に溶着が用いられる。
【０００３】
そしてＬＥＤランプ１２が発光すると、光はＬＥＤレンズ３０内を通りＬＥＤレンズ３
０の端面、つまり発光窓１１ａから放射される。従って、ユーザは発光窓３１ａの光を確
認してビデオデッキの動作状態を知ることができる。
【０００４】
他の従来例として、特許文献１には、モールド部品で構成されたダストシールド部品を
シャーシの後側板部の内側に上方から挿入して、そのダストシールド部品に一体成形して
ある複数のコ字状リブ及びＬ字状リブ等を後側板部に脱着可能に係合する情報記憶装置が
開示されている。
【０００５】
また特許文献２には、ケースの裏面に立設された一対の押さえリブと、押さえリブの両
外側に立設されて押さえリブの先端との間に部品挿入空間を形成するための先端折曲部を
有する一対のＬ字リブとを備えたコードレス電話装置のスイッチ装置が開示されている。
【０００６】
また特許文献３には、レンズの外周に突出して設けられ取付孔の開口端部に当接するＬ
字状のリブが備えられた車両のランプが開示されている。
【特許文献１】特開２０００−５７７４３号公報
【特許文献２】特開平５−３０４５５４号公報
【特許文献３】特開平９−２６３１７９号公報
【考案の開示】
【考案が解決しようとする課題】
【０００７】
しかしながら、図５のように、レンズ部材とフロントパネル３１との接点は連結部３０
ａだけであるので、組み立て時にレンズ部材の位置決めが難しく、図中の矢印方向にずれ
、組み立て誤差が生じやすい。レンズ部材は溶着されるので組み立て後には位置の修正は
できない。その結果、ＬＥＤレンズ３０の先端の下方の正しい位置にＬＥＤランプ１２が
配置されず、ＬＥＤランプ１２からの発光がＬＥＤレンズ３０から漏れて発光窓３１ａの
光強度に個体差が生じる。そのため、ユーザが発光窓３１ａの光を確認しづらくなり、操
作に支障をきたす。
【０００８】
これに対し、特許文献１〜３には、そのようなレンズ部材の組み立てを安定化させる記
載はない。
【０００９】
本考案は、ＬＥＤレンズの組み立て時のばらつきをなくし、発光窓から安定した光強度
の光が放射されるＬＥＤレンズを提供することを目的とする。また、そのＬＥＤレンズを
備えた記憶媒体再生装置を提供することも目的とする。
【課題を解決するための手段】
【００１０】
上記目的を達成するために本考案は、パネルに固定され、該パネルに形成された発光窓
に一端が位置し、他端がＬＥＤランプに近接し、該ＬＥＤランプからの発光を発光窓に導
くＬＥＤレンズにおいて、前記パネルの前記発光窓以外の部分に当接するリブが一体成形
されることを特徴とするものである。
【００１１】
この構成によれば、リブを設けることによりＬＥＤレンズの組み立て時のばらつきがな
くなる。
【００１２】
上記のＬＥＤレンズにおいて、例えば、前記リブの断面をＬ字形とし、Ｌ字形の少なく
とも一辺を前記パネルに当接させてもよい。また例えば、前記リブの断面をＬ字形とし、
Ｌ字形の少なくとも一端を前記パネルに当接させてもよい。
【００１３】
なお、前記ＬＥＤレンズは一体成形された連結部で複数連結してもよい。一体成形によ
りコストダウンが図れる。
【００１４】
また、前記連結部を前記パネルに溶着して固定することで低コストで容易にＬＥＤレン
ズを組み付けることができる。
【００１５】
また本考案は、複数の発光窓を有したフロントパネルと、前記発光窓と同数のＬＥＤラ
ンプと、一端が前記発光窓に位置し、他端が前記ＬＥＤランプに近接し、前記ＬＥＤラン
プからの発光を前記発光窓に導く曲線状で前記ＬＥＤランプと同数のＬＥＤレンズとを備
え、複数の前記ＬＥＤレンズは一体成形された連結部でそれぞれ繋がっており、該連結部
で前記フロントパネルに溶着固定される記憶媒体再生装置において、前記連結部に一体成
形されると共に、前記フロントパネルの前記発光窓以外の部分に当接するリブであって、
該リブの断面がＬ字形であり、Ｌ字形の一辺が前記フロントパネルの内面側に突設された
支持台に当接している構成とすることで、より具体化される。
【００１６】
また本考案は、複数の発光窓を有したフロントパネルと、前記発光窓と同数のＬＥＤラ
ンプと、一端が前記発光窓に位置し、他端が前記ＬＥＤランプに近接し、前記ＬＥＤラン
プからの発光を前記発光窓に導く曲線状で前記ＬＥＤランプと同数のＬＥＤレンズとを備
え、複数の前記ＬＥＤレンズは一体成形された連結部でそれぞれ繋がっており、該連結部
で前記フロントパネルに溶着固定される記憶媒体再生装置において、前記連結部に一体成
形されると共に、前記フロントパネルの前記発光窓以外の部分に当接するリブであって、
該リブの断面がＬ字形であり、Ｌ字形の一端が前記フロントパネルに当接している構成と
することで、より具体化される。
【考案の効果】
【００１７】
本考案によると、リブを設けることによりＬＥＤレンズの組み立て時のばらつきがなく
なり、ＬＥＤレンズの先端の下方の正しい位置にＬＥＤランプが配置され、ＬＥＤランプ
からの発光がＬＥＤレンズから漏れることなく、発光窓からの光強度が安定する。そのた
め、ユーザが発光窓の光を確認しやすい。また、ＬＥＤレンズが正しく取り付けられるの
で不良品率も低下する。
【考案を実施するための最良の形態】
【００１８】
以下、記憶媒体再生装置の一例としてビデオデッキを用いて説明する。図１は、ビデオ
デッキのフロントパネルの内側の要部正面図、図２は、図１のＡ−Ａ線断面図である。ビ
デオデッキは、その前面を覆うフロントパネル１１と、４つのＬＥＤランプ１２ａ〜１２
ｄと、４つのＬＥＤレンズ１３ａ〜１３ｄとを備えている。
【００１９】
フロントパネル１１には、ＬＥＤランプ１２ａ〜１２ｄの発光を放射する４つの発光窓
１１ａ〜１１ｄが形成されている。ユーザはビデオデッキの前面側から発光窓の発光を確
認することにより、ビデオデッキの動作状態を知ることができる。
【００２０】
ＬＥＤランプ１２ａ〜１２ｄはそれぞれ同色であっても良いし、異色であってもよく、
表示したい色を採用すればよい。なお、ＬＥＤランプ１２ａ〜１２ｄはフロントパネル１
１とは別の基板に取り付けられている。そしてＬＥＤランプ１２ａ〜１２ｄの光漏れを防
止するため、ＬＥＤランプ１２ａ〜１２ｄの周囲は壁で囲まれている。
【００２１】
ＬＥＤレンズ１３ａ〜１３ｄは、その一端が発光窓１１ａ〜１１ｄに位置し、他端が各
ＬＥＤランプ１２ａ〜１２ｄの上方に近接しており、ＬＥＤランプ１２ａ〜１２ｄからの
発光を発光窓１１ａ〜１１ｄに導くように曲線状となっている。ＬＥＤレンズ１３ａ〜１
３ｄは一体成形された連結部１３ｅでそれぞれ繋がっている。また、連結部１３ｅにはリ
ブ１３ｆ、１３ｇが一体成形されている。これらＬＥＤレンズ１３ａ〜１３ｄ、連結部１
３ｅ、リブ１３ｆ、１３ｇが一体成形されてなるレンズ部材１３は、連結部１３ｅでフロ
ントパネル１１に溶着固定される。
【００２２】
リブ１３ｆ、１３ｇは、断面がＬ字形であり、Ｌ字形の一辺がフロントパネル１１の内
面側に突設された支持台１１ｅに当接している。なお、Ｌ字形の少なくとも一辺がフロン
トパネル１１の一部に当接すればよく、可能な限りリブ１３ｆ、１３ｇとフロントパネル
１１との接面積が大きいほど、レンズ部材１３をフロントパネル１１に組み付ける際の位
置決めのばらつきがなくなり安定する。また図１では２つのリブ１３ｆ、１３ｇを設けて
いるが、１つ又は３つ以上でもよく、数が多いほどレンズ部材１３をフロントパネル１１
に組み付ける際の位置決めのばらつきがなくなり安定する。
【００２３】
図１では、ＬＥＤレンズ１３ａ、１３ｂ、リブ１３ｆと、ＬＥＤレンズ１３ｃ、１３ｅ
、リブ１３ｇとが段違いに設けられているが、ＬＥＤレンズやリブは連結部で接続されれ
ばどのような配置に設けても構わない。段違いに設けることにより、直線状に設けるより
も、レンズ部材１３をフロントパネル１１に組み付ける際の位置決めのばらつきがなくな
り安定する。
【００２４】
図３は、他のビデオデッキのフロントパネルを外側から見た要部正面透過図、図４は、
図３のＢ−Ｂ線断面図である。図３でフロントパネル内側のレンズ部材やＬＥＤランプ等
は破線で示している。
【００２５】
このビデオデッキが図１のビデオデッキと異なる構成はレンズ部材と支持台１１ｅであ
り、その他の構成は図１のビデオデッキと同様である。レンズ部材２０は、４つのＬＥＤ
レンズ２０ａ〜２０ｄと、ＬＥＤレンズ１３ａ〜１３ｄと一体成形され、それぞれのＬＥ
Ｄレンズ１３ａ〜１３ｄを繋ぐ連結部２０ｅと、連結部１３ｅと一体成形され、連結部１
３ｅから延びるリブ２０ｆとから構成されている。そしてレンズ部材２０は、連結部２０
ｅでフロントパネル１１に溶着固定される。
【００２６】
リブ２０ｆは、断面がＬ字形であり、Ｌ字形の一端がフロントパネル１１の内面に当接
している。なお、Ｌ字形の少なくとも一端がフロントパネル１１の一部に当接すればよく
、可能な限りリブ２０ｆが長いほど、レンズ部材２０をフロントパネル１１に組み付ける
際の位置決めのばらつきがなくなり安定する。また図３では１つのリブ２０ｆを設けてい
るが、２つ以上でもよく、数が多いほどレンズ部材２０をフロントパネル１１に組み付け
る際の位置決めのばらつきがなくなり安定する。
【００２７】
また、図３のように、連結部２０ｅを段違いに設けることにより、直線状に設けるより
も、レンズ部材２０をフロントパネル１１に組み付ける際の位置決めのばらつきがなくな
り安定する。
【００２８】
なお本考案において、リブの形状には特に限定はなく、上記の断面Ｌ字形の他に、当接
するフロントパネル１１の形状に合った形状とすればよい。このときリブはできるだけ長
く、大きくすると組み付け時の安定性が向上する。その結果、ＬＥＤレンズの先端の下方
の正しい位置にＬＥＤランプが配置され、ＬＥＤランプからの発光がＬＥＤレンズから漏
れることなく、各発光窓からの光強度が安定する。そのため、ユーザが各発光窓の光を確
認しやすい。また、ＬＥＤレンズが正しく取り付けられるので不良品率も低下する。
【産業上の利用可能性】
【００２９】
本考案のＬＥＤレンズは、ビデオデッキ、ＤＶＤ再生装置、ＣＤ再生装置、フロッピー
（登録商標）ディスクドライブ等の記憶媒体再生装置をはじめ、ＬＥＤランプの発光を発
光窓から放射する装置に利用することができる。
【図面の簡単な説明】
【００３０】
【図１】本考案のビデオデッキのフロントパネルの内側の要部正面図である。
【図２】図１のＡ−Ａ線断面図である。
【図３】本考案の他のビデオデッキのフロントパネルを外側から見た要部正面透過図である。
【図４】図３のＢ−Ｂ線断面図である。
【図５】従来のビデオデッキのフロントパネルの断面図である。
【符号の説明】
【００３１】
１１、３１    フロントパネル
１１ａ〜１１ｄ、３１ａ    発光窓
１１ｅ    支持台
１２、１２ａ〜１２ｄ    ＬＥＤランプ
１３    レンズ部材
１３ａ〜１３ｄ、２０ａ〜２０ｄ、３０    ＬＥＤレンズ
１３ｅ、２０ｅ、３０ａ    連結部
１３ｆ、１３ｇ、２０ｆ    リブ
【図１】
0003109832.tif 000003
【図２】
0003109832.tif 000004
【図３】
0003109832.tif 000005
【図４】
0003109832.tif 000006
【図５】
0003109832.tif 000007